(57)【要約】【課題】集塵容器内の塵埃を、手を汚すことなく、一つの動作で簡単に廃棄のできる、使い勝手のよい電気掃除機を提供する。【解決手段】塵埃３５を捕集するフィルター１９を有する集塵部１２と、前記集塵部１２に設けられた塵埃３５排出用の開口部１３と、前記開口部１３を開閉自在に覆う蓋体１４と、前記蓋体１４を閉状態に保持する尾錠１６と、前記尾錠１６を介して前記蓋体１４を開状態にする操作部１７と、前記集塵部１２内で塵埃３５を押し出す押し出し板２０とを備え、前記操作部１７と前記押し出し板２０が連動して動作するもので、操作部１２により蓋体１４を開き、かつ連動した押し出し板２０で塵埃３５を押し出すことができるため、集塵容器１２内の塵埃を、手を汚すことなく、一つの動作で簡単に廃棄できる。【選択図】図６
2006320453.tif 000002
【特許請求の範囲】
【請求項１】
塵埃を捕集するフィルターを有する集塵部と、前記集塵部に設けられた塵埃排出用の開口部と、前記開口部を開閉自在に覆う蓋体と、前記蓋体を閉状態に保持する尾錠と、前記尾錠を介して前記蓋体を開状態にする操作部と、前記集塵部内で塵埃を押し出す押し出し板とを備え、前記操作部と前記押し出し板が連動して動作する集塵容器。
【請求項２】
集塵部外周壁の２面以上にフィルターを備えた請求項１記載の集塵容器。
【請求項３】
集塵部の天面を押し出し板により構成した請求項１または２記載の集塵容器。
【請求項４】
集塵容器内の負圧部の内面と、押し出し板の間の位置にパッキン体を備えた請求項１〜３のいずれか１項に記載の集塵容器。
【請求項５】
操作部に遮蔽板を設け、操作部と連動して上下に摺動可能とした請求項１〜４のいずれか１項に記載の集塵容器。
【請求項６】
請求項１〜５のいずれか１項に記載の集塵容器を備えたことを特徴とする電気掃除機。
【発明の詳細な説明】
【技術分野】
【０００１】
本発明は電気掃除機本体に装着される集塵容器およびこの集塵容器を有する電気掃除機に関するものである。
【背景技術】
【０００２】
従来のこの種の電気掃除機としては、掃除機本体に着脱自在に装着されると共に塵埃を捕集する集塵容器を備え、その集塵容器に開閉自在の蓋を設け、その蓋を開けて集塵容器内に蓄積した塵埃を廃棄するようにしたものが有る（例えば、特許文献１参照）。
【特許文献１】特開２００４−１２１７２２号公報
【発明の開示】
【発明が解決しようとする課題】
【０００３】
しかしながら、上記のような電気掃除機の構成では、集塵容器内のごみがぎっしりと入った場合や、綿ごみや軽いごみの場合など、蓋を開いてもその塵埃が、集塵容器から落ちることなく溜まる時があり、その時は、素手或いはお箸などでごみを引きずりださなければならず、不衛生で、且つ非常に手間がかかるという課題があった。
【０００４】
本発明は上記課題を解決するもので、集塵容器内のごみを、手を汚すことなく、一つの動作で簡単に廃棄のできる、使い勝手のよい電気掃除機を提供することを目的とする。
【課題を解決するための手段】
【０００５】
上記従来の課題を解決するために、本発明の集塵容器は、塵埃を捕集するフィルターを有する集塵部と、前記集塵部に設けられた塵埃排出用の開口部と、前記開口部を開閉自在に覆う蓋体と、前記蓋体を閉状態に保持する尾錠と、前記尾錠を介して前記蓋体を開状態にする操作部と、前記集塵部内で塵埃を押し出す押し出し板とを備え、前記操作部と前記押し出し板が連動して動作するもので、集塵容器内のごみを、手を汚すことなく、一つの動作で簡単に廃棄のできる、使い勝手のよい電気掃除機を提供するものである。
【発明の効果】
【０００６】
本発明によれば、集塵容器内のごみを、手を汚すことなく、一つの動作で簡単に廃棄のできる、使い勝手のよい電気掃除機を提供することができる。
【発明を実施するための最良の形態】
【０００７】
第１の発明は、塵埃を捕集するフィルターを有する集塵部と、前記集塵部に設けられた塵埃排出用の開口部と、前記開口部を開閉自在に覆う蓋体と、前記蓋体を閉状態に保持する尾錠と、前記尾錠を介して前記蓋体を開状態にする操作部と、前記集塵部内で塵埃を押し出す押し出し板とを備え、前記操作部と前記押し出し板が連動して動作するもので、操作部により蓋体を開き、かつ連動した押し出し板でごみを押し出すことができるため、集塵容器内のごみを、手を汚すことなく、一つの動作で簡単に廃棄できる。
【０００８】
第２の発明は、集塵部外周壁の２面以上にフィルターを備えたもので、フィルターの目詰まりによる吸引力の低下を抑制することができ、使い勝手を向上できる。
【０００９】
第３の発明は、集塵部の天面を押し出し板により構成したもので、集塵部の天面と押し出し板を別々に構成した場合と比較し、集塵部の天面と押し出し板による２重壁を防止し構造を簡単にでき、また、集塵部の天面と押し出し板の間に塵埃が挟み込むことがなく、より確実に全ての塵埃を排出できるため、使い勝手を向上できる。
【００１０】
第４の発明は、集塵容器内の負圧部の内面と、押し出し板の間の位置にパッキン体を備えたもので、集塵容器内の負圧側に押し出し板を配置し、集塵容器外部の正圧側から押し出し操作を行う際に、負圧側と正圧側の連結部分を、パッキン体により空気の漏れを防止でき、集塵容器内の負圧ならびに吸引力を向上できるため、使い勝手を向上できる。
【００１１】
第５の発明は、操作部に遮蔽板を設け、操作部と連動して上下に摺動可能としたもので、操作部を上下に摺動させ操作を行う際に、操作部の下部に必要な操作部を摺動するための空間、ならびに操作後にできる操作部の上部の空間を、遮蔽板により遮蔽することにより、空間への異物の入り込みを防止して、確実に操作を行うことができるとともに、さらに外観性を向上できる。また、遮蔽板は上下に摺動可能なため、操作部と遮蔽板を一体に構成し操作部により空間を遮蔽したものと比較し、操作部が下方向に摺動し操作部下部の空間が狭くなる際には、遮蔽板は同時に下方向に摺動する必要がなく、操作部に対して上方向に摺動可能なため、遮蔽板の移動距離を小さくすることができ、製品全体の大きさを小さくできるため、使い勝手を向上できる。
【００１２】
第６の発明は、請求項１〜５のいずれか１項に記載の集塵容器を備えていることを特徴とする電気掃除機で、集塵容器内の操作部と前記押し出し板が連動して動作するため、集塵容器内のごみを、手を汚すことなく、一つの動作で簡単に廃棄できる掃除機を提供できる。
【００１３】
以下、本発明の実施の形態について、図面を参照しながら説明する。なお、この実施の形態によりこの発明が限定されるものではない。
【００１４】
（実施の形態１）
本発明の実施の形態１における集塵容器及びこれを搭載した電気掃除機について図１、図２を用いて説明する。
【００１５】
図１は本実施の形態における集塵容器を搭載した電気掃除機の全体斜視図、図２は同掃除機本体の中央断面図を示す。図１、図２において、掃除機本体１は、吸引風を発生させる電動送風機２と、電動送風機２の吸引風の上流側には着脱自在で塵埃３５を捕集する集塵容器３を備え、集塵容器３は集塵容器収納部４に収納される。さらに集塵容器３の上流側には、塵埃３５が流入する本体吸気口５を備え、本体吸気口５にはホース６の一端が接続され、他端には延長管７を介して床用吸込み口８を接続している。
【００１６】
次に図３〜図７を用いて集塵容器３の詳細について説明する。
【００１７】
図３は集塵容器３の全体斜視図、図４はカバー体９を取り除いた同集塵容器の斜視図、図５は同集塵容器の主要部品の断面斜視図、図６は同集塵容器の中央断面図、図７は同集塵容器のタイト部詳細図を示す。
【００１８】
図において、集塵容器３は、集塵容器本体１０と、集塵容器本体１０の後方開口部に着脱自在に装着されるフィルターユニット１１から構成されている。
【００１９】
集塵容器本体１０は、塵埃３５を捕集するための集塵部１２を備え、集塵部１２は塵埃３５を排出するための開口部１３、および保持リブ３８を備えている。さらに、集塵容器本体１０は開口部１３を開閉自在に覆う蓋体１４が軸支されており、蓋体１４はバネ体１５により閉方向に付勢されている。さらに集塵容器本体１０は蓋体１４を閉状態に保持する尾錠１６と、尾錠１６を傾斜部３６により介し、蓋体１４を開状態にする操作部１７を備えており、操作部１７は操作部バネ１８により上方向に符勢されている。
【００２０】
一方、集塵部１２は外周の４側壁全てに１次フィルター１９ａ、ｂ、ｃ、ｄ、を有し、さらに集塵部１２は天面を押し出し板２０により構成している。押し出し板２０の押し出し板連結部２１と、操作部１７の操作部連結部２１は、約５ｍｍはフリーな状態で連結しており、押し出し板２０と操作部１７は連動して動作する。また、押し出し板２０は、材質がＳＵＳでメッシュ状の金属メッシュ１次フィルター２３を備え、天面外周の集塵部１２との間の位置にごみタイトパッキン２４を有し、集塵容器本体１０の負圧部内面２５との間の位置にエアータイトパッキン２６を備えている。さらに集塵部１２は塵埃３５を捕集するための吸入口２７を備え、吸気口２７は中心部より上半部は外面２８を、下半分は内面２９を集塵容器本体１０と嵌合しており、集塵部１２は下方向に集塵容器１０と着脱可能である。
【００２１】
また、操作部１７は、操作部１７と連動し上下に摺動可能で、操作部１７の下部空間３０ならびに摺動後の上部空間３１を遮蔽する遮蔽板３２を備え、さらに遮蔽板３２の下部にはリブ体３７を備える。また、操作部１７は天面外周に凸部３３を有した押圧ボタン３４を有する。
【００２２】
以上のように構成された電気掃除機について、以下その動作、作用を説明する。
【００２３】
掃除機本体１の運転を開始すると、電動送風機２が運転して吸引力が発生し、塵埃を含んだ空気が、本体吸い込み口８から吸い込まれ、延長管７およびホース６、本体吸気口５を通り、集塵部１２に入る。集塵部１２では１次フィルター１９ａ、ｂ、ｃ、ｄ、ならびに金属メッシュ１次フィルター２３により塵埃３５と空気が分離され、塵埃３５は集塵部１２内で捕集され堆積していく。
【００２４】
この時、集塵部１２の外周壁の４側面に１次フィルター１９ａ、ｂ、ｃ、ｄ、を設けているためフィルターの面積が広く、フィルターの目詰まりによる吸引力の低下を抑制することができる。さらに、押し出し板２０にも金属メッシュ１次フィルター２３を設けているので、フィルターの総面積をより広くでき、フィルターの目詰まりによる吸引力の低下をさらに抑制することができ、使い勝手を向上できる。
【００２５】
また、１次フィルター１９ａ、ｂ、ｃ、ｄ、ならびに金属メッシュ１次フィルター２３を通過した空気中に含まれる微細塵は、フィルターユニット１１により捕集される。
【００２６】
次に、捕集した塵埃３５を排出する際の動作、作用を図８、図９を用いて説明する。
【００２７】
図８に示すように、捕集した塵埃３５を排出する際には、操作部１７の押圧ボタン３４を下方向に押すと、傾斜部３６を介して尾錠１６が開方向である時計回りに回動して蓋体１４の係止を解除し、蓋体１４がバネ体１５の付勢力により開く。この時、塵埃３５が集塵部１２内にぎっしり詰まった状態では、塵埃３５は重力のみでは下方向に落ちず、集塵部１２内に詰まった状態のままである。
【００２８】
次に、図９に示すように、さらに操作部１７の押圧ボタン３４を下方向に押すと、操作部１７に連動して押し出し板２０も下方向に動作し、塵埃３５を押し出して開口部１３より排出できるため、集塵容器３内の塵埃３５を、手を汚すことなく、一つの動作で簡単に廃棄できる。この時、蓋体１４を開く操作部１７は押し出し板２０と連動しているため、蓋体１４を開く操作と、押し出し板２０の塵埃を押し出す操作が分かれていることを意識することなく、一連の操作のワンタッチで塵埃３５を廃棄することができる。
【００２９】
さらに、塵埃３５を廃棄後、押圧ボタン３４を手を離し押すのを止めると、操作部１７ならびに押し出し板２０は、操作部バネ１８により元の状態に自動的に戻る。
【００３０】
傾斜部３６は、操作部１７を約５ｍｍ下方向に動作させると、尾錠１６が蓋体１４の係止を解除する角度設定としており、押し出し板連結部２１と操作部連結部２２は約５ｍｍはフリーな状態で連結されているため、操作部１７を約５ｍｍ操作した時には押し出し板２０は動作せず、先に蓋体１４が開いた後、押し出し板２０により塵埃３５を押し出して排出する構成としている。そのため、蓋体１４が開く前に塵埃３５を押すことがなく、塵埃３５がぎっしり詰まった状態においても、押し出し板２０が、蓋体１４が閉まったままの塵埃３５にあたり操作部１７を下方向に操作できないといったことがないため、より確実に塵埃３５を排出でき、使い勝手を向上できる。
【００３１】
また、集塵部１２の天面を押し出し板２０により構成しているため、集塵部１２の天面と押し出し板２０を別々に構成した場合と比較し、集塵部１２の天面と押し出し板２０による２重壁を防止し構造を簡単にでき、また、集塵部１２の天面と押し出し板２０の間に塵埃が挟み込むことがなく、より確実に全ての塵埃３５を排出できるため、使い勝手を向上できる。
【００３２】
また、ごみタイトパッキン２４により、塵埃を吸引時に集塵部１２と押し出し板２０の間の隙間から、塵埃３５が集塵部１２の外に漏れるの確実に防止できるため、使い勝手を向上できる。
【００３３】
さらに、押し出し板２０の金属メッシュ１次フィルター２３はＳＵＳによる金属で構成されているため、押し出し板２０により塵埃３５を押し出す際に、異物等によるフィルターの破れを防止し、耐久性を向上できる。
【００３４】
さらに、エアータイトパッキン２６により、正圧側の操作部１７から押し出し板２０の操作を行う際に、負圧側と正圧側の連結部分の空気の漏れを防止でき、集塵容器本体１０内の負圧ならびに吸引力を向上できるため、使い勝手を向上できる。
【００３５】
それに加え、エアータイトパッキン２６は押し出し板２０に備えられているため、集塵容器本体１０内を負圧にする必要のある塵埃３５を吸引の際には、エアータイトパッキン２６により空気の漏れを防止でき、集塵容器本体１０内を負圧にする必要のない塵埃３５を押し出す際には、エアータイトパッキン２６は押し出し板２０と共に移動するため、エアータイトパッキン２６と押し出し板２０の間の摩擦抵抗がなく、押し出し板２０の操作力を軽減でき、またエアータイトパッキン２６の磨耗も防止することができる。
【００３６】
一方、遮蔽板３２は、操作部１７の操作前は下部空間３０を遮蔽し、操作後は上部空間３１を遮蔽することにより、下部空間３０ならびに上部空間３１への異物の入り込みを防止して、操作部１７が引っ掛かることもなく、操作を確実に行うことができる。さらに空間による穴部もなくなり外観性も向上できる。また、遮蔽板３２は、操作部１７が下方向に摺動し下部空間３０が無くなった際には、リブ体３７にあたり摺動が止まり、操作部１７に対しては上方向に摺動可能なため、操作部１７と遮蔽板３２を一体に構成し操作部１７により空間を遮蔽したものと比較し、遮蔽板３２の移動距離は小さくなり、製品全体の大きさも小さくできるため、使い勝手を向上できる。
【００３７】
また、押圧ボタン３４を押す際に、凸部３３により滑りが防止され、確実に押圧ボタン３４を操作することができるため、使い勝手を向上できる。
【００３８】
次に、集塵部１２を取り出してお手入れする際の動作、作用を図１０、図１１を用いて説明する。
【００３９】
図１０は集塵部１２を取り出した際の集塵容器３の斜視図、図１１は同集塵容器３の中央断面図を示す。
【００４０】
集塵部１２を取り出してお手入れする際には、保持リブ３８を集塵容器本体１０内部に撓ませ保持を外し、集塵部１２を下方向に押し出して取り出す。集塵部１２を集塵容器本体１０より取り出すことにより、集塵部１２と集塵容器本体１０の間の隙間に蓄積する細塵や、１次フィルター１９ａ、ｂ、ｃ、ｄ、に付着した完全に廃棄できなかった塵埃をより簡単に取り除け、お手入れし易く、使い勝手を向上できる。
【００４１】
また、吸気口２７は中心部より上半部は外面２８を、下半分は内面２９を集塵容器本体１０と嵌合しているため、集塵部１２の吸気口２７と集塵容器３の間のごみタイト性が向上し、塵埃が漏れることなく、確実に吸気口２７より集塵部１２に入り捕集される。また、吸気口２７の下半分を内面で嵌合しているため、下方向に引っかかることなく、集塵部１２を下方向に取り外し可能であり、お手入れし易く、使い勝手を向上できる。
【産業上の利用可能性】
【００４２】
以上のように、本発明にかかる集塵容器は、集塵容器内のごみを、手を汚すことなく、一つの動作で簡単に廃棄のできるので、着脱自在の集塵容器を有する家庭用、業務用電気掃除機に特に有用である。
【図面の簡単な説明】
【００４３】
【図１】本発明の実施の形態１における電気掃除機の全体斜視図
【図２】同電気掃除機の掃除機本体の中央断面図
【図３】同電気掃除機の集塵容器の全体斜視図
【図４】同集塵容器のカバー体を取り外した状態の全体斜視図
【図５】同集塵容器の主要部品の断面斜視図
【図６】同集塵容器の中央断面図
【図７】同集塵容器のタイト部詳細図
【図８】同集塵容器の蓋体を開く時の動作図
【図９】同集塵容器の塵埃を押し出すときの動作図
【図１０】同集塵容器の集塵部を取り出すときの斜視図
【図１１】同集塵容器の集塵部を取り出すときの中央断面図
【符号の説明】
【００４４】
３    集塵容器
１２  集塵部
１３  開口部
１４  蓋体
１６  尾錠
１７  操作部
１９  １次フィルター
２０  押し出し板
３５  塵埃
【図１】
2006320453.tif 000003
【図２】
2006320453.tif 000004
【図３】
2006320453.tif 000005
【図４】
2006320453.tif 000006
【図５】
2006320453.tif 000007
【図６】
2006320453.tif 000008
【図７】
2006320453.tif 000009
【図８】
2006320453.tif 000010
【図９】
2006320453.tif 000011
【図１０】
2006320453.tif 000012
【図１１】
2006320453.tif 000013